(57)【特許請求の範囲】
【請求項１】
長方形を成し、その長方形の長辺の両端に所定の寸法で余白部を設けて目盛を刻んだ直線定規に、前記余白の所定の倍幅分の外縁部を残すように前記直線定規の本体中央に長方形の貫通孔をあけ、その貫通孔に前記長辺と平行に可動するスライダーを組み込み、更に前記長方形の短辺からの垂線、好ましくは前記短辺の垂直二等分線の延長上で、前記目盛の始点を通る長辺からの垂線が直交する位置と前記スライダーの中央部の位置とのそれぞれに、筆記具を挿通させる為の円形ですり鉢状の貫通孔と、その貫通孔の中心を通り、本体底面に向かって逆三角形で前記短辺と平行な、カッターナイフを挿通させる為の狭いスリット状の貫通孔を組み合わせたφ型貫通孔をあけ、また前記目盛の終点を通る前記長辺からの垂線と前記短辺からの前記垂線、好ましくは前記短辺の垂直二等分線が直交する位置には、弾性体を内蔵し、押下しないと針を出せなくした収納式針を設置したコンパス及び円切りカッターの機能を有する定規。
【請求項２】
前記収納式針は、弾性体を前記定規本体と画鋲状の針で挟むことにより、押下すると前記針先が前記定規本体の底面から突出し、押下しないと前記弾性体の作用により前記針先が前記定規本体の厚みの中に収納される事を特徴とする、請求項１記載のコンパス及び円切りカッターの機能を有する定規。
【発明の詳細な説明】
【技術分野】
【０００１】本発明は、コンパスと円切りカッターの機能を追加した直線定規に関するものである。
【背景技術】
【０００２】
図９に示す一般的なコンパスは、持ち手・二本の軸・針・筆記具で構成されている。
筆記具を任意の物に取り換え可能な物や、軸が折れ曲がる物、広げた軸を固定できる物があるが、基本的には同じ形状である。
【０００３】
図１０は一般的な円切りカッターである。
価格により形状が多少変わるが、機能は円弧を切るのみである。
【０００４】
図１１は特許文献１に記載の直定規コンパスであり、定規とコンパスの機能を有するものである。
多数の円形貫通孔のいずれかを中心点とし、それに対応する三角形貫通孔に筆記具を挿通し円弧を描画する。
【０００５】
図１２は特許文献２に記載の定規コンパスである。
定規に装着することにより、定規にコンパスの機能を付与するものである。
【先行技術文献】
【特許文献】
【０００６】
【特許文献１】特開第２０１０−１０００２３号
【特許文献２】特開第２００４−１９５９５３号
【発明の概要】
【発明が解決しようとする課題】
【０００７】
図９に示す従来のコンパスは、半径を設定する際に別途定規を使用せねばならない。
また、軸を広げた際に針が中心点に斜めに刺さることになり、そのため半径が大きくなれば針と紙面の角度が浅くなり、針が滑りやすくなる。
持ち手部分が中心点の直上ではないため、片手で保持し、その手を大きく動かして円を描画する使用法では、中心点や半径、円周線がずれることがある。
【０００８】
図１０の円切りカッターは円・円弧を切る機能しか持たず、また一方向にしか切る事が出来ない。
横軸に目盛が刻まれたものも有るが、安価なものは別途定規を使用して半径を設定せねばならない。
【０００９】
図１１の直定規コンパスは、中心点として使用する円形孔と半径を設定する三角孔がそれぞれ多数穿たれている。
円形孔が定規の目盛の始点(0cm)と対応してないものが多く、また三角孔のそれぞれの頂点が違う半径を指し示しているため、一目で半径を設定するのは困難である。
予め三角孔が穿たれているため、それらで設定されてない半径の円は描画不可能である。
【００１０】
図１２の定規コンパスは、脱着式部品と仮固定つまみで構成されているが、部品が小さいため紛失の可能性が否めない。
脱着式部品のスリットに合うサイズの定規にしか装着できず、また装着したまま定規として使おうとすると、紙面と定規の間に脱着式部品の厚み分の隙間ができ、装着したままでは定規として使い辛い。
【課題を解決するための手段】
【００１１】以上の課題を解決するために、請求項１の発明は、長方形を成し、長辺１７の両端に所定の寸法の余白部１を設けて目盛を刻んだ直線定規に、余白部１の所定の倍幅分の外縁部１９を残すように前記直線定規の本体１９中央に長方形の貫通孔３をあけ、その貫通孔３に長辺１７と平行に可動するスライダー４を組み込み、更に短辺１８からの垂線、好ましくは短辺１８の垂直二等分線の延長上で、目盛の始点２２を通る長辺１７からの垂線が直交する位置とスライダー４の中央部とのそれぞれに、筆記具を挿通させる為の円形ですり鉢状の貫通孔２０と、その貫通孔の中心を通り、本体底面に向かって逆三角形で短辺１８と平行な、カッターナイフを挿通させる為の狭いスリット状の貫通孔２１を組み合わせたφ型貫通孔２及びφ型貫通孔５をあけ、また目盛の終点２３を通る長辺１７からの垂線と、短辺１８からの垂線で、好ましくは短辺１８の垂直二等分線が直交する位置には、弾性体１２を内蔵し、押下しないと針を出せなくした収納式針８を設置したコンパス及び円切りカッターの機能を有する定規である。【００１２】上記請求項１の課題解決手段による作用は次の通りである。
φ型貫通孔とは、円形ですり鉢状の貫通孔２０と狭いスリット状貫通孔２１を組み合わせたもので、上面から見ると記号の「φ」に似た形状の貫通孔であり、その形状により鉛筆やボールペン、細書きのマジック等、数種の筆記具及びカッターナイフが使用できる。【００１３】φ型貫通孔は底面に向かって狭くなるすり鉢状の為、高い精度でペン先及び刃先を任意の場所に導く事ができる。
φ型貫通孔の上面円形開口部を広くする事により、筆記具を適度に傾ける事ができ、スムースに円弧・円周を描画できる。【００１４】スライダーで合わせた定規の目盛がそのまま円の半径となるため、誰にでも容易に半径の設定ができ、且つミリ単位での使用が出来る。
またスライダーと貫通孔が接する部分にノッチを設けたり、スライダーにロック機構を内蔵させる事により、スライダーを任意の位置で固定でき、描画時の半径のズレや描線の乱れを防ぐ事が出来る。【００１５】着脱部品が無いので部品の紛失の恐れが無く、また通常の定規に比べて多少厚みが増した程度なので簡便に携行できる。【００１６】第二の課題解決手段として、収納式針部とは弾性体を定規本体と画鋲状の針で挟むことにより、押下すると針先が定規の底面から突出し、押下しないと弾性体の作用により針先が収納されるボタン状のものである。
通常時は針先が定規の厚みの中に収納されている為、針先での怪我の恐れがなく、安全に携行及び使用することができる。
【発明の効果】
【００１７】上述したように本発明は、従来の直線定規にコンパス及び円切りカッターの機能を追加することにより、定規の目盛を利用して正確な描画及び切断に使用できるものであり、また安全に携行及び収納が容易となる器具である。
【図面の簡単な説明】
【００１８】
【図１】本発明の一実施形態を示す斜視図である。
【図２】本発明の四面図  （ａ）上面・（ｂ）底面・（ｃ）側面１・（ｄ）側面２である。
【図３】本発明の本体に穿ったφ型貫通孔部を切り開いた斜視図である。
【図４】本発明の長方形の貫通孔に施したノッチの拡大図である。
【図５】本発明のスライダーの斜視図である。
【図６】本発明のスライダーを切り開いた斜視図である。
【図７】本発明の収納式針の通常時（ａ）と押下時（ｂ）を示した断面図である。
【図８】本発明の各部位の断面図である。  Ａ−Ａ部は本体φ型貫通孔中心部（ａ）  Ｂ−Ｂ部は本体及びスライダー中心部（ｂ）  Ｃ−Ｃ部は本体のみ（ｃ）  Ｄ−Ｄ部は本体及び収納式針中心部（ｄ）
【図９】従来の一般的なコンパスの正面図である。
【図１０】従来の一般的な円切りカッターの斜視図である。
【図１１】特許文献１の正面図である。
【図１２】特許文献２の斜視図である。
【発明を実施するための形態】
【００１９】以下、本発明の実施の形態を図１〜図８に基づいて説明する。
【００２０】図１においては本発明の斜視全体図である。
長辺両端に設けた余白部１、目盛始点２２側に穿ったφ型貫通孔２、スライダー４を組み込む貫通孔３、スライダー４に穿ったφ型貫通孔５、貫通孔３の内側部に施したノッチ６と凸状レール７、目盛終点２３側に設置した収納式針８、長辺１７の目盛と合わせる為にスライダーに設けられた半径設定用目印１０等から構成されている。
【００２１】図２において、長方形を成す直線定規の長辺両端部に所定の寸法、例えば５〜１０ｍｍの余白部１を長辺方向に設け、その間に目盛を刻む。
余白部１の所定倍幅分、例えば二倍幅の外縁を残すように本体１９に長方形の貫通孔３をあける。
その貫通孔３に、長辺１７に対して平行に可動するスライダー４を組み込む。
【００２２】目盛が０ｃｍ〜３０ｃｍで余白部１が５ｍｍの３０ｃｍ定規を例とすると、外見上は長辺が３１０ｍｍで、短辺がスライダー４に依存した任意の長さに１０ｍｍを加えた長さの長方形となり、それぞれの辺から垂直方向１０ｍｍ内側に貫通孔３が穿たれた形状となる。
貫通孔３は長辺側が２９０ｍｍ、短辺側は上記短辺の長さから２０ｍｍを引いた長さの長方形となり、ここにスライダー４を組み込んである。
【００２３】一方の短辺１８の外縁部１９において、目盛の始点２２を通る長辺１７からの垂線と、短辺１８の垂直二等分線が直交する部位に、後述するφ型貫通孔２を穿つ。
スライダー４の中央部にも同形のφ型貫通孔５を穿つ。
スライダー４の中央部とは、スライダー４の中心点であり、この中心点は短辺１８の垂直二等分線延長上に位置するのが好ましい。
スライダー４には、長辺１７に刻まれた目盛とスライダー４の中心点の位置を合わせる為の半径設定用目印１０を設ける。
【００２４】他方の短辺１８の外縁部１９において、目盛の終点２３を通る長辺１７からの垂線と、短辺１８の垂直二等分線が直交する部位に、収納式針８を設置する。
収納式針８とは、図７で示すようにゴムやバネ、スポンジ等の弾性体１２を定規本体と画鋲状の針１３で挟むことにより、押下すると針先が底面側開口部１６から突出し、押下しないと弾性体１２の作用により本体の厚みの中に針先が収納される機能を有したボタン状の物である。
これにより使用者の安全を図る。
【００２５】本体１９のφ型貫通孔２の中心、スライダー４のφ型貫通孔５の中心、収納式針８の中心（針先）は、全て短辺１８からの垂線上、好ましくは短辺１８の垂直二等分線の延長上に位置する。
【００２６】図３において、φ型貫通孔２は円形ですり鉢状の貫通孔２０と、貫通孔２０の中心を通り、底面に向かって狭くなる逆三角形のスリット状貫通孔２１を組み合わせた孔であり、上面から見ると記号の「φ」に似た形となる。
底面に向かって狭くなる形状の為、高い精度でペン先及びカッターナイフの刃先を任意の位置に導くことが出来る。
上面側の円形開口部を広くする事により、筆記具に適度な傾斜を与える事が出来る。
スリット状貫通孔２１の底面側は、カッターナイフを挿通した際、刃が紙等を快適に切れる角度である事が望ましい。
【００２７】図４において、本体の貫通孔３には、長辺１７と平行する内側面に等間隔でＶ字型もしくは波型等のノッチ６を設置し、またスライダー４の凹み９と噛み合う凸状レール７も設置する。
１ｍｍ単位で半径を設定出来るようにする為に、ノッチ６は１ｍｍ間隔が望ましい。
半径設定用目印１０が目盛の３ｃｍ５ｍｍを指しているが、φ型貫通孔２を中心とした場合、３ｃｍ５ｍｍがそのまま半径になるという事である。
【００２８】図５においては、貫通孔３に組み込むスライダー４であり、本体に施したφ型貫通孔２と同形のφ型貫通孔５を中心部に穿つ。
φ型貫通孔５のサイズ及び機能は、本体のφ型貫通孔２と同じである。
また、凸状レール７と噛み合う凹み９と、ノッチ６と噛み合う突起１１を、それぞれスライダー４の両側に設ける。
これらにより、スライダー４のガタつきとズレを防ぎ、ノッチ６に施した間隔毎にカチカチと動かすことができる。
突起１１は、スライダー４と同材質のものであるが、Ｕ字型板ばね等の弾力性を有した他の素材でも良い。
更に長辺１７に刻んだ目盛と合わせるための、半径設定用目印１０をスライダー４の両側に設ける。
両側の半径設定用目印１０同士を結ぶ直線は、長辺１７からの垂線と平行であり、また短辺１８からの垂直二等分線と直交する位置が、スライダー４の中心及びφ型貫通孔５の中心となる事が好ましい。
【００２９】また他の例として、スライダー４の内部にバネ等の弾性体により、ノッチ６と噛み合う突起パーツを突出・収容させる機構を組み込んだものでも良い。
通常はバネ等の弾性体の作用により自動的にスライダー４をロックし、スライドボタン等で突起パーツをスライダー４の内部に収容する事でロックを解除させる。
この機構だと、ロック解除中のスライダーはノッチ６に引っ掛かることなくスムースに可動し、手を離すとバネや弾性体の作用によりスライダー４から突出した突起パーツがノッチ６と噛み合う事で自動的にロックされる。
【００３０】図６においては、スライダー４の中心点を通る、長辺１７からの垂線でスライダー４を切り開いた斜視断面図である。
【００３１】図７においては、収納式針８の通常時（ａ）・押下時（ｂ）の断面図である。
通常時（ａ）はゴムやバネ、スポンジ等の弾性体１２の作用により、画鋲状の針１３は上方に押し上げられ、針先が本体の底面側開口部より突出することはない。
押下時（ｂ）は弾性体１２が潰れ、針先が本体の底面側開口部１６より突出する。
【００３２】図８においては、長辺１７からの垂線で切った各部の断面図である。
（ａ）はφ型貫通孔２の中心を通るＡ−Ａ線断面図である。
（ｂ）はスライダー４の中心を通るＢ−Ｂ線断面図である。
（ｃ）は本体のＣ−Ｃ線断面図である。
（ｄ）は収納式針８の中心を通るＤ−Ｄ線断面図である。
【００３３】この器具は両手を用いて円・円弧を、描画・切断するものである。
【００３４】本発明を仮に３０ｃｍ定規とした場合の使用例を以下に示す。
半径１５ｃｍの円を描く際、中心点に穴を穿ちたくない場合は、スライダー４を移動させ、半径設定用目印１０を長辺１７の目盛１５ｃｍに合わせる。
次に片手で保持した筆記具を本体に穿ったφ型貫通孔２に挿通させ、中心点の描画と紙の固定を行う。
【００３５】もう一方の手で保持した筆記具をスライダー４のφ型貫通孔５に挿通させ、φ型貫通孔２を中心として定規を回転させることにより、半径１５ｃｍの円・円弧を描画することが出来る。
【００３６】中心点に穴が穿たれても良い場合は、収納式針８を押下して中心点とし、上記の手順で使用する。
半径３０ｃｍの円・円弧の場合は、収納式針８を中心点とし、φ型貫通孔２に筆記具を挿通して使用する。
【００３７】スライダー４のφ型貫通孔５を中心点とし、φ型貫通孔２を円周の描画に使用する事も可能である。
φ型貫通孔２もしくはφ型貫通孔５にカッターナイフを挿通する事により、円切りカッターとして使用可能である。
【符号の説明】
【００３８】１    長辺の両端に設けた余白部
２    本体に穿ったφ型貫通孔
３    スライダー４を設置する長方形の貫通孔
４    スライダー
５    スライダー４に穿ったφ型貫通孔
６    ノッチ
７    スライダー４と噛み合わせる凸状レール
８    収納式針部
９    凸状レール７と噛み合うスライダーの凹み
１０  半径設定用目印
１１  ノッチ６と噛み合うスライダーの突起
１２  弾性体
１３  画鋲状の針
１４  本体に穿ったφ型貫通孔２の底面側開口部
１５  スライダー４に穿ったφ型貫通孔５の底面側開口部
１６  収納式針８の針先が突き出る底面側開口部
１７  長辺
１８  短辺
１９  外縁部（本体）
２０  すり鉢状貫通孔
２１  スリット状貫通孔
２２  目盛始点
２３  目盛終点
【要約】
【課題】使用頻度の高い直定規にコンパスと円切りカッターの機能を追加させることにより携行品の減少を図り、簡易且つ正確に円や円弧を描画したり切断出来るようになる。
【解決手段】直定規の目盛が刻まれた長辺に平行する長方形の穴をあけ、そこに目盛に平行して可動するスライダーを設置し、筆記具を挿通させる為の円形ですり鉢状の貫通孔と、その貫通孔の中心を通り、本体底面に向かって逆三角形で前記短辺と平行な、カッターナイフを挿通させる為の狭いスリット状の貫通孔を組み合わせたφ型の貫通孔をあけることにより、定規の目盛を利用できるコンパス及び円切りカッターの機能を有する器具とする。
【選択図】図１【図１】
0005469275.tif 000002
【図２】
0005469275.tif 000003
【図３】
0005469275.tif 000004
【図４】
0005469275.tif 000005
【図５】
0005469275.tif 000006
【図６】
0005469275.tif 000007
【図７】
0005469275.tif 000008
【図８】
0005469275.tif 000009
【図９】
0005469275.tif 000010
【図１０】
0005469275.tif 000011
【図１１】
0005469275.tif 000012
【図１２】
0005469275.tif 000013